(57)【要約】【課題】画像キーボードを提供する超音波システム及び方法を提供する。【解決手段】本発明の超音波システムは、画像キーボード映像をディスプレイするためのユーザの要請の入力を受けるコントロールパネルと、前記画像キーボード映像をディスプレイし、ユーザからの命令をタッチ方式で入力を受けるように動作するディスプレイ部と、前記コントロールパネル及び前記ディスプレイ部と連結され、超音波映像が前記ディスプレイ部にディスプレイされて、前記画像キーボード映像が前記ディスプレイ部の画面の一部分にディスプレイされることを制御するように動作する制御部とを備える。【選択図】図１
2010017558.tif 000002
【特許請求の範囲】
【請求項１】
超音波システムであって、
画像キーボード映像をディスプレイするためのユーザの要請の入力を受けるコントロールパネルと、
前記画像キーボード映像をディスプレイし、ユーザからの命令をタッチ方式で入力を受けるように動作するディスプレイ部と、
前記コントロールパネル及び前記ディスプレイ部と連結され、超音波映像が前記ディスプレイ部にディスプレイされて、前記画像キーボード映像が前記ディスプレイ部の画面の一部分にディスプレイされることを制御するように動作する制御部と
を備えることを特徴とする超音波システム。
【請求項２】
前記画像キーボード映像は、
少なくとも一つのキーボードボタンをディスプレイするためのボタン領域と、
前記ボタン領域を通じて入力された内容をディスプレイする入力確認領域と
を備えることを特徴とする請求項１に記載の超音波システム。
【請求項３】
画像キーボード映像は、
テキストと数字情報入力のための第１の映像と、
数字情報の入力のための第２の映像と、
超音波映像スキャンに関する情報入力のための第３の映像と
を備えることを特徴とする請求項１に記載の超音波システム。
【請求項４】
前記第１の映像は、
ユーザによって入力された文字と関連した単語のボタンをディスプレイする関連単語目録領域を備えることを特徴とする請求項３に記載の超音波システム。
【請求項５】
前記制御部は、
ユーザの要請に従って前記第１〜３の映像のうちいずれか一つの映像から他の映像に変更するように動作することを特徴とする請求項３に記載の超音波システム。
【請求項６】
超音波システムの画像キーボード提供方法であって、
ａ）超音波映像をディスプレイ部にディスプレイする段階と、
ｂ）画像キーボード映像のディスプレイのためのユーザの要請の入力を受ける段階と、
ｃ）前記画像キーボード映像を前記ディスプレイ部の一部分にディスプレイする段階と
を備えることを特徴とする画像キーボード提供方法。
【請求項７】
前記画像キーボード映像は、
少なくとも一つのキーボードボタンをディスプレイするためのボタン領域と、
前記ボタン領域を通じて入力された内容をディスプレイする入力確認領域と
を備えることを特徴とする請求項６に記載の画像キーボード提供方法。
【請求項８】
前記画像キーボード映像は、
テキストと数字情報の入力のための第１の映像と、
数字情報の入力のための第２の映像と、
超音波映像スキャンに関する情報の入力のための第３の映像と
を備えることを特徴とする請求項７に記載の画像キーボード提供方法。
【請求項９】
前記段階ｃ）は、
ユーザの要請に従って前記第１〜３の映像のうちいずれか一つの映像から他の映像に変更する段階
を備えることを特徴とする請求項８に記載の画像キーボード提供方法。
【発明の詳細な説明】
【技術分野】
【０００１】
本発明は、超音波システムに関し、より詳細には画像キーボードを提供する超音波システム及び方法に関する。
【背景技術】
【０００２】
一般に、超音波システムは被検体の体表から体内の所望部位に向かって超音波信号を照射し、反射された超音波信号（超音波エコー信号）の情報を用いて軟部組織の断層や血流に関する映像を無侵襲で得る装置である。この装置はＸ線診断装置、Ｘ線ＣＴスキャナ（Ｃｏｍｐｕｔｅｒｉｚｅｄ  Ｔｏｍｏｇｒａｐｈｙ  Ｓｃａｎｎｅｒ）、ＭＲＩ（Ｍａｇｎｅｔｉｃ  Ｒｅｓｏｎａｎｃｅ  Ｉｍａｇｅ）、核医学診断装置などの他の画像診断装置と比較すると、小型で低廉であり、リアルタイムでディスプレイ可能で、Ｘ線などの被爆がなく安全性の高い長所を有しており、心臓、腹部、泌尿器及び産婦人科診断のために広く用いられている。
【０００３】
超音波システムは、文字入力のためにキーボード（ｋｅｙｂｏａｒｄ）を備える。キーボードは用いられる場合がそれほど多くはないが、サイズが大きくてコントロールパネル（Ｃｏｎｔｒｏｌ  Ｐａｎｅｌ）で広い領域を占める。また、キーボードをコントロールパネルの下の部分に備えておき、必要な場合に取り出して使う場合もあるが、この場合にはユーザがキーボードを取り出すためにユーザの位置や姿勢を変えなければならず、キーボードを取り出した状態ではコントロールパネルのボタン（ｂｕｔｔｏｎ）がより遠くなる問題がある。
【０００４】
また、キーボードに文字を入力しながら、文字が正確に入力されているかを確認するために頻繁にモニタに視線を移さなければならないため、文字入力の速度が遅い問題もある。
【先行技術文献】
【特許文献】
【０００５】
【特許文献１】特開２００８−１７３２１６号公報
【発明の概要】
【発明が解決しようとする課題】
【０００６】
本発明は、画像キーボードを提供する超音波システム及び方法を提供する。
【課題を解決するための手段】
【０００７】
本発明の超音波システムは、画像キーボード映像をディスプレイするためのユーザの要請の入力を受けるコントロールパネルと、前記画像キーボード映像をディスプレイし、ユーザからの命令をタッチ方式で入力を受けるように動作するディスプレイ部と、前記コントロールパネル及び前記ディスプレイ部と連結され、超音波映像が前記ディスプレイ部にディスプレイされて、前記画像キーボード映像が前記ディスプレイ部の画面の一部分にディスプレイされることを制御するように動作する制御部とを備える。
【０００８】
また、本発明の超音波システムの画像キーボード提供方法は、ａ）超音波映像をディスプレイ部にディスプレイする段階と、ｂ）画像キーボード映像のディスプレイのためのユーザの要請の入力を受ける段階と、ｃ）前記画像キーボード映像を前記ディスプレイ部の一部分にディスプレイする段階とを備える。
【発明の効果】
【０００９】
前記した本発明の超音波システムは、キーボード（ｋｅｙｂｏａｒｄ）を含まないコントロールパネルを構成することができるため、小さくてスリムなコントロールパネルの製作が可能であり、ユーザの入力速度を向上させることができる。
【図面の簡単な説明】
【００１０】
【図１】本発明の実施例による超音波システムの構成を示すブロック図である。
【図２】本発明の実施例によるテキスト（ｔｅｘｔ）と数字情報の入力のための第１の映像を示す例示図である。
【図３】本発明の実施例による数字情報のみの入力のための第２の映像を示す例示図である。
【図４】本発明の実施例による超音波映像スキャンに関する情報入力のための第３の映像を示す例示図である。
【発明を実施するための形態】
【００１１】
以下、添付した図面を参照して本発明の多様な実施例について詳細に説明する。
【００１２】
図１は、本発明の実施例による超音波システムの構成を示すブロック図である。超音波システム１００は画像キーボード映像をディスプレイするためのユーザの要請の入力を受けるコントロールパネル１１０、画像キーボード映像をディスプレイし、タッチ方式で命令（ｃｏｍｍａｎｄ）の入力を受けるためのディスプレイ部１２０及びコントロールパネル１１０とディスプレイ部１２０と連結されて、超音波映像がディスプレイ部１２０にディスプレイされて、画像キーボード映像がディスプレイ部１２０の画面の一部分にディスプレイされることを制御するように動作する制御部（図示せず）を含むボディー１３０を備える。
【００１３】
コントロールパネル１１０は、画像キーボード映像をディスプレイ部１２０の画面の一部分にディスプレイするためのユーザの要請の入力を受ける。例えば、ユーザはテキストボタン１１２を押すことによってユーザの要請の一つである画像キーボード映像のディスプレイ要請を入力することができ、画像キーボード映像変更要請ボタン１１４を押すことによってユーザの要請の一つである画像キーボード映像変更要請を入力することができる。画像キーボード映像はテキストと数字情報の入力のための第１の映像（図２参照）、数字情報のみの入力のための第２の映像（図３参照）及び超音波映像スキャンに関する情報入力のための第３の映像（図４参照）のうちいずれか一つであってもよい。
【００１４】
第１、２及び３映像のうちいずれか一つの画像キーボード映像がユーザの要請によってディスプレイ部１２０にディスプレイできる。超音波システム１００の制御部はユーザの要請に従って一つの映像から他の映像へ変更してディスプレイすることができる。例えば、第１の映像がディスプレイされた状態で画像キーボード映像変更要請ボタン１１４を押せば第２の映像がディスプレイされ、第３の映像がディスプレイされた状態で画像キーボード映像変更要請ボタン１１４を押せば第２の映像がディスプレイされる。
【００１５】
第１の映像は、図２に示された通り画像キーボードを用いて入力されている内容を画像キーボード内の別途領域にディスプレイする入力確認領域１４１、特定文字と関連のある単語のボタンをディスプレイする関連単語目録領域１４２及びユーザ入力を受けるための複数のボタンを備えるボタン領域１４３を備える。ボタン領域１４３を通じて入力される単語は入力確認領域１４１にディスプレイされる。特定文字（ｃｈａｒａｃｔｅｒ）と関連した単語ボタンが関連単語目録領域１４２にディスプレイされる。ここで、入力確認領域１４１は画像キーボード自体に備えられた別途領域に入力される内容が示されてテキスト又は数字が正確に入力されているか確認するために視線を移動する必要をなくす。ボタン領域１４３のボタンは上下方向に長く構成され、一例として上端に文字がディスプレイされてボタン入力の瞬間にもボタンの文字を直観的に確認することができる。
【００１６】
画像キーボード映像はディスプレイ部１２０の画面の一部分にディスプレイされる。ディスプレイ部１２０は画像キーボード映像をディスプレイし、タッチ方式でユーザから命令の入力を受ける。ディスプレイ部１２０はＬＣＤ（ｔｏｕｃｈ  ｐａｎｅｌ  Ｌｉｑｕｉｄ−Ｃｒｙｓｔａｌ−Ｄｉｓｐｌａｙ）タッチパネルで具現できる。
【００１７】
制御部は、コントロールパネル１１０とディスプレイ部１２０に連結される。制御部は、超音波映像がディスプレイ部１２０にディスプレイされるように制御する。また、制御部は画像キーボード映像がディスプレイ部１２０の画面の一部にディスプレイされるように制御する。例えば、制御部はユーザの要請に従って図２のように入力確認領域１４１、関連単語目録領域１４２及びボタン領域１４３を備える第１の映像がディスプレイ部１２０にディスプレイされるように制御する。即ち、ユーザがテキストボタン１１２を押せば、制御部は第１の映像のディスプレイ要請であると認識して、第１の映像がディスプレイ部１２０にディスプレイされるように制御する。また、ユーザがカーソルをディスプレイ部１２０の特定領域へ移動させた場合、 制御部は第１の映像のディスプレイ要請であると認識して第１の映像がディスプレイ部１２０にディスプレイされるように制御することができる。
【００１８】
制御部は、ユーザの要請に従って図３のように数字ボタンを備える第２の映像がディスプレイ部１２０にディスプレイさるるように制御する。 ユーザがテキストボタン１２を押せば、制御部はユーザの要請であると認識して、図３のような第２の映像がディスプレイ部１２０にディスプレイされるように制御する。また、ユーザがカーソルをディスプレイ部１２０の特定領域へ移動させた場合、 制御部は第２の映像のディスプレイ要請であると認識して、第２の映像がディスプレイ部１２０にディスプレイされるように制御することができる。第２の映像が含む数字ボタンを電話機ダイヤルボタンと類似の形態で配列し、水平配置された場合より数字入力が速やかに構成することができる。
【００１９】
制御部は、超音波映像スキャニング過程中にユーザの要請に従って図４のようなスキャン作業に関連するテキスト入力のための第３の映像がディスプレイ部１２０にディスプレイされるように制御する。スキャン途中には主にイメージに関する説明のために映像位置にテキストを入力する場合が多いが、この場合に用いられるテキストは限定的である。従って、スキャン途中に入力項目（例えば、テキストボタン）を押すと、該当過程で主に用いられるテキスト組合わせ（単語になる）で構成された第３の映像がディスプレイされ、その中から所望の単語を選択すれば該当単語が入力される。この時、第３の映像に示される各単語（テキスト組合わせ）は任意的な編集が可能である。そして、特定単語を選択すれば該当単語と空き空間（ｓｐａｃｅ）が入力されて他の単語入力による追加のスペース（ｓｐａｃｅ）ボタン入力が不要になる。また、第３の映像がディスプレイされた状態で画像キーボード映像変更要請ボタン１１４を押せば図２のような第１の画像キーボード映像がディスプレイ部１２０にディスプレイされて自由にテキストを入力することができる。
【００２０】
ここで、画像キーボード映像変更要請は必ずしも各画像キーボード映像間の段階的な変更のみを意味しているのではないことに留意しなければならない。即ち、図４のような第３の映像がディスプレイされた状態で画像キーボード映像変更要請ボタン１１４を押せば図２のような第１の映像がディスプレイされ、第１の映像がディスプレイされた状態で画像キーボード映像変更要請ボタン１１４を押せば第３の画像キーボード映像がディスプレイされるようにすることができる。
【００２１】
制御部は、第１〜３の映像のディスプレイ要請を区分するために、テキストと数字情報入力状況であるか、数字情報のみの入力状況であるか及び超音波映像スキャンに関する情報入力状況であるかを判別し、これに合う画像キーボード映像がディスプレイ部１２０にディスプレイされるように制御する。
【００２２】
本発明の属する技術分野の当業者は本発明がその技術的思想や必須の特徴を設定せず、他の具体的な形態で実施できるということを理解することができる。従って、以上で記述した実施例は全ての面で例示的なものであり、限定的ではないことを理解しなければならない。本発明の範囲は前記詳細な説明よりは後述する特許請求の範囲によって示され、特許請求の範囲の意味及び範囲、そしてその等価概念から導き出される全ての設定または変形された形態が本発明の範囲に含まれるものと解釈されなければならない。
【符号の説明】
【００２３】
１００：超音波システム
１１０：コントロールパネル
１２０：ディスプレイ部
１３０：ボディー
１１２：テキストボタン
１１４：画像キーボード映像変更要請ボタン
１４０：画像キーボード映像
１４１：入力確認領域
１４２：関連単語目録領域
１４３：ボタン領域
【図１】
2010017558.tif 000003
【図２】
2010017558.tif 000004
【図３】
2010017558.tif 000005
【図４】
2010017558.tif 000006